(57)【要約】【課題】  柄の先端に設ける袋体を確実に開閉し、袋体を開いた状態での支持を確実に行うことが可能な、柄付き捕集袋を提供する。【解決手段】  捕集袋３は、外枠４の内側で開口部を開閉する。外枠４は、内周側で開いた状態の捕集袋３の開口部の外周を外側から規制し、基端４ｂで柄２の先端２ａに接続される。外枠４の先端４ａには、開閉部材５，６の先端５ａ，６ａがそれぞれ装着される。開閉部材５，６は外枠４の内周側と、捕集袋３の開口部を支持する支持枠体１０，１１の外周側との間を通り、基端５ｂ，６ｂが柄２の先端２ａに引込まれる。開閉部材５，６の基端５ｂ，６ｂを柄２の２ａから引込むと、支持枠体１０，１１の弾発力に抗して、支持枠１０ｂ，１０ｃ；１１ｂ，１１ｃを中心線４ｃに近づけ、捕集袋３の開口を閉じることができる。【選択図】図１
2014204673.tif 000002
【特許請求の範囲】
【請求項１】
柄の先端に開閉可能な捕集袋を備える、柄付き捕集袋において、
中心線の両端で閉じて、中間で幅方向の両側に広がる開口形状を有し、内周側で開いた状態の捕集袋の開口部の外周を外側から規制し、中心線の一端で柄の先端に接続される外枠と、
外枠の中心線の少なくとも一方の端に中間部が装着され、中間部から幅方向の両側に弾発的に開く支持枠を有し、中間部に続く支持枠が外枠の内側に沿って広がる支持枠体と、
先端が外枠の先端側に装着され、外枠の内周側と、支持枠体の支持枠の外周側との間を通り、基端が柄の基端側に引出される開閉部材と、
を含み、
捕集袋は、開いた状態で外周となる部分を、支持枠体の支持枠で支持され、
開閉部材を柄の基端側に引くことで、開閉部材で外枠の内側となる部分は、支持枠体の支持枠とともに、外枠の中心線に近づき、支持枠で外周を支持する捕集袋を、閉じた状態にする、
ことを特徴とする柄付き捕集袋。
【請求項２】
前記支持枠材の中間部は、
前記外枠の端に装着され、前記中心線から前記幅方向の両側に間隔をあけた位置で、中心線および幅方向の両方に垂直な一対の軸を備える中間部材と、
中間部材の各軸にそれぞれ回動可能に挿通され、少なくとも軸の周囲に一定の径の外周を有する基端と、前記支持枠の基端が接続される先端とを有する一対の回動部材と、
板状で、中心線に沿って移動可能で一対の回動部材の間に挿入され、側面の両側が回動部材の基端の外周で挟まれる移動部材と、
移動部材の基端に中間部が接合され、中間部から幅方向の両側に延びる枝部が中心線の方向に湾曲して、枝部の先端が回動部材の先端部に接合され、回動部材の先端側が幅方向の両側に広がるように付勢する板ばねと、
を含む、
ことを特徴とする請求項１記載の柄付き捕集袋。
【請求項３】
前記柄の先端付近に、柄の基端からの延長方向と前記外枠の中心線とが成す角度を変えることが可能な可動継手を備える、
ことを特徴とする請求項１または２記載の柄付き捕集袋。
【発明の詳細な説明】
【技術分野】
【０００１】
本発明は、柄の先端に設ける開閉可能な袋体で、犬の糞取り用具や虫取りあみなどとして使用可能な、柄付き捕集袋に関する。
【背景技術】
【０００２】
従来から、犬の散歩などの際には、犬が排泄する糞を採取して捕集し、持帰って処理する用意をしておく必要がある。現状では、路上などに排泄された糞を、小さなショベルなどで採取し、袋に入れて持帰る方法が多く行われている。しかしながら、このような方法では、排便場所が汚れてしまう。路上などの公共の地面を汚さないようにするためには、排便後の洗浄用に、多量の水も用意しておく必要がある。また、排便場所によっては、水などで洗浄することができないこともある。
【０００３】
犬が糞を排泄する際には、尻を下げつつも地面からは浮かすような独特の姿勢となるので、慣れていれば、尻の下に紙などを敷いて、その上に糞をさせるように準備することも不可能ではない。このような方法によれば、排便場所を汚すことを防ぐことができるけれども、立って歩行していた散歩の随伴者は、しゃがんだり膝を曲げたりして準備する動作をすばやく行う必要がある。随伴者が老人であれば、準備動作のための姿勢の変化が困難となる。柄の先に捕集容器を取付けた柄杓状の用具を用いれば、しゃがむ必要はなく、捕集容器に糞を受けることができる。
【０００４】
これらの方法で、排便場所を汚さずに糞を採取することができても、採取した糞を持帰って処理するためには、袋などに移す必要がある。そこで、捕集袋を開閉可能にして、開いた状態で採取した糞を、捕集袋を閉じてそのまま持帰ることができるようにした犬の糞取り用具として、犬の糞便処理器（特許文献１参照）や、愛玩動物用糞取器（特許文献２参照）、動物用糞取り具（特許文献３参照）などが提案されている。
【０００５】
なお、柄の先端に開閉可能な袋体を設けるものとして、竿の先端に設ける虫取り網を、網口を閉じることが可能にした、あみ口が閉じる虫取りあみ（特許文献４参照）も提案されている。
【先行技術文献】
【特許文献】
【０００６】
【特許文献１】実願平３−１０８９６５号（実開平５−４８６６１号）のＣＤ−ＲＯＭ
【特許文献２】特公平８−１５号公報
【特許文献３】特開２００７−３０６８０８号公報
【特許文献４】特開２０１２−１８７１０３号公報
【発明の概要】
【発明が解決しようとする課題】
【０００７】
特許文献１の犬の糞便処理器では、大略的に円形の外枠内に、ほぼ外枠の直径と同等の長さの一対の板ばねを収容し、板ばねの先端を外枠の先端に装着している。板ばねの基端を外枠の基端まで延ばすと、板ばねの相互間が閉じる状態となり、板ばねの基端を外枠の基端側から押すと、板ばねの中間部が幅方向の外方に膨らんで開いている状態となる。板ばねは、捕集袋の開口部を係止しているので、捕集袋も板ばねの基端を押すことで開き、板ばねの基端を押さないと、板ばねの弾性で捕集袋が閉じる。板ばねの長さが外枠の直径程度であるので、捕集袋を開いても、外枠よりも内側で小さい開口しか得ることができない。また、開口部を開くためには、板ばねの基端を先端側に押込む必要があるので、先端に板ばねの基端が接続される支持棒を、軸線が直線となる中空筒の内部に収容する必要があり、中空筒の軸線と外枠の直径とが同一直線上になってしまう。しかしながら、犬の糞便処理では、捕集袋の開口と柄の軸線とが同一直線上になるよりも、鈍角で傾斜する方が使いやすい。
【０００８】
特許文献２の愛玩動物用糞取器では、外枠となる円形の胴部に対し、半円弧状の開閉部材を、胴部に沿わせる状態で袋を開き、胴部から起立させる状態で袋を閉じるようにして、胴部と柄との間も鈍角で傾斜させている。しかしながら、開閉操作は、開閉部材をバタフライ状に、外枠の直径を中心として角変位させて行うので、柄の手元でワイヤを引くだけの操作で可能か否かの疑問が生じる。また袋を閉じる状態で、開閉部材が胴部から起立させる状態となるので、胴部の上方に起立した開閉部材とともに袋の上部が起立し、胴部の下方に糞を捕集した袋の下部が垂れ下がる状態となり、捕集袋を閉じてそのまま持帰ることが困難となる。
【０００９】
特許文献３の動物用糞取り具では、側面から見てクランク状に形成した鉗子の先端を開閉させて、鉗子の先端に装着した袋の開口部を開閉させる。鉗子構造のために、鉗子を手で握って操作する部分と、袋を装着する鉗子の先端とを離すことは困難である。犬などの愛玩動物の糞は、地面に近い高さで受ける必要があるので、鉗子を操作する際には、操作者はしゃがむなど、操作位置を地面に近付ける必要があり、操作者にかかる負担が大きくなってしまう。
【００１０】
特許文献４の虫取りあみでは、弾力のある平たいあみ口用芯を竿の先端で開いている状態から、あみ口用芯を竿内に引込んで、あみ口用芯であみ口の周囲を支持するあみ袋を閉じることができる。しかしながら、あみ袋のあみ口を開く状態で、あみ口の支持はあみ口用芯のみで行う必要があり、剛性や強度を高めると、閉じるためにあみ口用芯を竿内に引込むことが困難になるはずである。
【００１１】
本発明の目的は、柄の先端に設ける袋体を確実に開閉し、袋体を開いた状態での支持を確実に行うことが可能な、柄付き捕集袋を提供することである。
【課題を解決するための手段】
【００１２】
本発明は、柄の先端に開閉可能な捕集袋を備える、柄付き捕集袋において、
中心線の両端で閉じて、中間で幅方向の両側に広がる開口形状を有し、内周側で開いた状態の捕集袋の開口部の外周を外側から規制し、中心線の一端で柄の先端に接続される外枠と、
外枠の中心線の少なくとも一方の端に中間部が装着され、中間部から幅方向の両側に弾発的に開く支持枠を有し、中間部に続く支持枠が外枠の内側に沿って広がる支持枠体と、
先端が外枠の先端側に装着され、外枠の内周側と、支持枠体の支持枠の外周側との間を通り、基端が柄の基端側に引出される開閉部材と、
を含み、
捕集袋は、開いた状態で外周となる部分を、支持枠体の支持枠で支持され、
開閉部材を柄の基端側に引くことで、開閉部材で外枠の内側となる部分は、支持枠体の支持枠とともに、外枠の中心線に近づき、支持枠で外周を支持する捕集袋を、閉じた状態にする、
ことを特徴とする柄付き捕集袋である。
【００１３】
また本発明で、前記支持枠体の中間部は、
前記外枠の端に装着され、前記中心線から前記幅方向の両側に間隔をあけた位置で、中心線および幅方向の両方に垂直な一対の軸を備える中間部材と、
中間部材の各軸にそれぞれ回動可能に挿通され、少なくとも軸の周囲に一定の径の外周を有する基端と、前記支持枠の基端が接続される先端とを有する一対の回動部材と、
板状で、中心線に沿って移動可能で一対の回動部材の間に挿入され、側面の両側が回動部材の基端の外周で挟まれる移動部材と、
移動部材の基端に中間部が接合され、中間部から幅方向の両側に延びる枝部が中心線の方向に湾曲して、枝部の先端が回動部材の先端部に接合され、回動部材の先端側が幅方向の両側に広がるように付勢する板ばねと、
を含む、
ことを特徴とする。
【００１４】
また本発明は、前記柄の先端付近に、柄の基端からの延長方向と前記外枠の中心線とが成す角度を変えることが可能な可動継手を備える、
ことを特徴とする。
【発明の効果】
【００１５】
本発明によれば、外枠の先端側に先端が装着される開閉部材で、外枠の内側に設けられる支持枠体を、外周側から閉じて、支持枠体で支持する袋体の開口を閉じることができる。支持枠体は、支持枠が弾発的に幅方向の両側に開くので、開閉部材が外周側から閉じなければ、外枠の内周に沿って開き、袋体の開口を開くことができる。外枠は柄の先端に設けられ、開閉部材の操作は、柄の内部を通して、柄の基端から行うことができるので、簡単な操作で、柄の先端に設ける袋体を確実に開閉することができる。袋体を開く状態では、外枠の支持も受けることができるので、袋体を開いた状態での支持を確実に行うことが可能となる。
【００１６】
また本発明によれば、支持枠で袋体の開口部の周囲を支持し、支持枠の幅方向への開閉を、回動部材、移動部材、および板ばねの連動で、迅速かつ確実に行わせることができる。
【００１７】
また本発明によれば、柄の基端からの延長方向と外枠の中心線とが成す角度を変えることができるので、用途に応じて、糞の捕集のように鈍角にすることも、虫取りのように１８０度を超えた角度として、使いやすいように調整することができる。
【図面の簡単な説明】
【００１８】
【図１】図１は、本発明の一実施例としての犬の糞取り用具１での捕集袋３の開閉状態を示す平面図である。
【図２】図２は、図１の開閉部材６の開閉状態を示す部分的な平面図である。
【図３】図３は、図２の中間部材１２の構成を示す正面図、平面図および右側面図である。
【図４】図４は、図１の犬の糞取り用具１の全体構成を、柄２の長手方向２ｃと外枠４の中心線４ｃとが同一直線上のときと、鈍角で傾斜するときとで、角度を変えて示す側面図である。
【図５】図５は、図４の柄２の基端２ｂ側の構成を示す部分的な側面断面図である。
【図６】図６は、図４の可動継手２０の構成を示す、平面図、側面図および分解斜視図である。
【図７】図７は、図４の犬の糞取り用具１の使用状態を概略的に示す図である。
【発明を実施するための形態】
【００１９】
以下、図１〜図６で本発明の一実施例としての犬の糞取り用具１の構成を示し、図７でその使用状態の一例を示す。説明の便宜上、説明対象の図には記載されていない部分について、他の図に記載される参照符を付して言及する場合がある。
【実施例】
【００２０】
図１は、本発明の一実施例としての犬の糞取り用具１の先端部分の概略的な構成を示す。犬の糞取り用具１は、柄２の先端２ａに設ける捕集袋３の開口部を開閉可能にしておき、犬が糞を排泄する際に、捕集袋３の開口部を開いて捕集袋３内に糞を受けることが可能である。犬の糞などを捕集する場合、捕集袋３は内袋と外袋との二重にすることが好ましい。内袋は樹脂フィルムなどの密閉袋にして、開口を閉じれば臭気なども漏れないようにする。外袋は、内袋を保護し、外観を良くするものを使用する。なお、虫取りなどに使用する場合は、網等の袋を使用する。
【００２１】
捕集袋３は、外枠４の内側で開口部を開閉する。外枠４は、先端４ａから基端４ｂに向う中心線４ｃに関して線対称となる円形に近い形状で、幅方向の両側に広がる。外枠４は、内周側で開いた状態の捕集袋３の開口部の外周を外側から規制する。外枠４の中心線４ｃの一端となる先端４ａには、開閉部材５，６の先端５ａ，６ａがそれぞれ装着される。開閉部材５，６は、外枠４の内周側と、捕集袋３の開口部を支持する支持枠体１０，１１の外周側との間を通り、基端５ｂ，６ｂが柄２の先端２ａに引込まれる。柄２の先端２ａでは、外枠４の中心線４ｃの他端となる基端４ｂが支持されるとともに、支持枠体１１が支持板１２で支持される。開閉部材５，６の基端５ｂ，６ｂは、支持板１２に設けるピン１２ａ，１２ｂの間を通る。
【００２２】
支持枠体１０，１１は、外枠４の先端４ａおよび基端４ｂ側にそれぞれ装着される中間部１０ａ，１１ａと、中間部１０ａ，１１ａから幅方向の両側に弾発的に開く支持枠１０ｂ，１０ｃ；１１ｂ，１１ｃとを有する。支持枠１０ｂ，１１ｂ；１０ｃ，１１ｃ間は、補助支持枠１３，１４で連結し、支持枠１０ｂ，１１ｂ；１０ｃ，１１ｃ間でも捕集袋３の支持を行うことが好ましい。連結部分には長孔を設けておけば、開閉による長さの違いを吸収することができる。補助支持枠１３，１４には、ゴムなどの弾性材を用いることもできる。
【００２３】
図１（ａ）に示すように、開閉部材５，６を緩めると、支持枠１０ｂ，１０ｃ；１１ｂ，１１ｃが外枠４の内周側に沿って広がり、支持枠１０ｂ，１０ｃ；１１ｂ，１１ｃによって開口部が支持される捕集袋３を開いた状態にすることができる。支持枠１０ｂ，１０ｃ；１１ｂ，１１ｃが弾発力で内側から外枠４の内周側に押付けられるので、外枠４で捕集袋３にかかる荷重の一部を支えることができる。外枠４の下部に、内側に張出す部分を設けておけば、さらに大きな荷重を支えることができる。
【００２４】
図１（ｂ）に示すように、開閉部材５，６の基端５ｂ，６ｂを柄２の先端２ａから引込むと、開閉部材５，６は、幅方向の両側から外枠４の中心線４ｃに近づき、支持枠体１０，１１の弾発力に抗して、支持枠１０ｂ，１０ｃ；１１ｂ，１１ｃを中心線４ｃに近づけ、捕集袋３の開口を閉じることができる。ピン１２ａ，１２ｂ間の間隔は、図１（ｂ）に示すように、閉じた状態の支持枠体１０，１１の幅よりも狭められている。なお、支持枠体１０，１１は、外枠４の中心線４ｃの両端、すなわち先端４ａおよび基端４ｂにそれぞれ設けているけれども、いずれか一方のみでもよい。
【００２５】
図２は、図１に示す支持枠体１０の構成および動作を示す。図１に示す支持枠体１１の構成および動作も、基本的に同様である。支持枠体１０の中間部１０ａは、外枠４の先端４ａに装着される中間部材１５で支持される。中間部材１５には、一対の回動部材１０ｄ，１０ｅ、移動部材１０ｆおよび板ばね１０ｇが含まれる。中間部材１５は、中心線４ｃから幅方向の両側に間隔をあけた位置に、中心線４ｃおよび幅方向の両方に垂直な一対の軸１５ａ，１５ｂを備え、各軸１５ａ，１５ｂには、回動部材１０ｄ，１０ｅの基端側がそれぞれ回動可能に挿通される。回動部材１０ｄ，１０ｅの基端側は、少なくとも軸１５ａ，１５ｂの周囲で一定の径の外周を有する。回動部材１０ｄ，１０ｅの先端側には、支持枠１０ｂ，１０ｃの基端が接続される。移動部材１０ｆは、板状で、中心線４ｃに沿って移動可能で一対の回動部材１０ｄ，１０ｅの間に挿入され、側面の両側が回動部材１０ｄ，１０ｅの基端の外周で挟まれる。板ばね１０ｇは、移動部材１０ｆの基端に中間部が接合され、中間部から幅方向の両側に延びる枝部が中心線４ｃの方向に湾曲して、枝部の先端が回動部材１０ｄ，１０ｅの先端部に接合され、回動部材１０ｄ，１０ｅを幅方向の両側に広がるように付勢する。
【００２６】
図２（ａ）に示すように、開閉部材５，６が緩んでいる状態では、板ばね１０ｇが直線状に延びようとして、回動部材１０ｄ，１０ｅ間を開き、回動部材１０ｄ，１０ｅの基端側が軸１５ａ，１５ｂまわりで角変位し、先端側の支持枠１０ｂ，１０ｃも幅方向の両側に広がる。支持枠１０ｂ，１０ｃは、たとえば板状であり、外枠４の幅方向には曲りやすいので、支持枠１０ｂ，１０ｃの先端側部分は、外枠４の内周に当接して、湾曲に沿って曲る。なお、外枠４の下側部分を、少なくとも部分的にでも内周側に張出させておけば、捕集袋３を開いている状態で、支持枠１０ｂ，１０ｃに係る荷重の少なくとも一部を外枠４でも支えることができる。
【００２７】
図２（ｂ）に示すように、開閉部材５，６を緊張させて、中心線４ｃに近付ければ、支持枠体１０も閉じる。中間部１０ａでは、板ばね１０ｇが外周側から折曲げられ、回動部材１０ｄ，１０ｅを相互間の角度が小さくなるように、幅方向の両側から押える。回動部材１０ｄ，１０ｅの先端側に基端が接続されている支持枠１０ｂ，１０ｃも相互に平行となって、中心線４ｃに近づき、捕集袋３の開口部は閉じる。
【００２８】
図３は、支持枠体１０を外枠４の先端４ａに取付ける中間部材１５の構成を示す。支持枠体１０は、金属、樹脂、木材などの各種材料で形成することができる。中間部材１５には、回動部材１０ｄ，１０ｅの基端に挿通させる軸１５ａ，１５ｂを設けるとともに、外枠４の先端４ａを挿入して固定する外枠挿入凹部１５ｃが設けられている。外枠挿入凹部１５ｃの内側には、締付ねじ孔１５ｄが設けられる。中間部材１５は、外枠挿入凹部１５ｃに挿入する外枠４の先端４ａに装着される。外枠４の先端４ａを挿入した中間部材１５は、締付ねじ孔１５ｄに締付ねじを挿入して、先端４ａを上下から挟み込むように締付けて固定する。支持枠体１１を外枠４の基端４ｂ側に取付ける中間部材も、支持枠体１１の取付けに関しては、基本的に中間部材１５と同様である。
【００２９】
なお、以上で説明したような支持枠体１０と同等の機能は、関節の両側に設ける剛性のある枠材を、トルクばねで開くように付勢しても実現することができる。また、中間部１０ａと支持枠１０ｂ，１０ｃとを連続した板ばねで形成してもよい。ただし、開閉部材５，６で閉じる際に、板ばねの中間部分を小さな曲率半径で曲げることが困難となるので、捕集袋３の開口部を外枠４の端部付近で閉じることが困難となる。
【００３０】
図４は、図１の犬の糞取り用具１の全体構成を、図４（ａ）では柄２の長手方向２ｃと外枠４の中心線４ｃとが同一直線上のときと、図４（ｂ）では鈍角で傾斜するときとで、角度を変えて示す。角度の変化は、柄２の先端２ａに設けられる可動継手２０で行う。犬の糞を採取するような場合、図４（ｂ）のように鈍角で傾斜している方が使いやすい。なお、昆虫や魚などを採取する網に使用するような場合は、柄の延長線と網の開口の中心線とが成す角度を、１８０度を超えるようにする方が使いやすくなる。
【００３１】
図５は、図２の柄２の基端２ｂ側の構成を示す。柄２の基端２ｂ付近には、操作筒１６が設けられる。操作筒１６は、基端２ｂ付近で、長手方向２ｃに沿って移動可能であり、柄２の内部で、ワイヤ１７の基端に接続される。ワイヤ１７の先端は、開閉部材５，６の基端に接続される。操作筒１６の基端側は、柄２の基端２ｂに設けるストッパ１９と係合して一時的に係止される。すなわち、操作筒１６を柄２の基端２ｂに引けば、ワイヤ１７を介して開閉部材５，６を柄２の先端２ａから基端２ｂの方向に引込むことができる。ストッパ１９による係合を外せば、操作筒１６は先端側に戻り、開閉部材５，６には緊張が無くなるので、捕集袋３が開く。
【００３２】
図６は、図４の可動継手２０の構成を、（ａ）は平面視、（ｂ）は側面視、（ｃ）は分解斜視の状態で示す。柄２の先端２ａ付近での角度変化は、可動継手２０によって行う。可動継手２０は、ハウジング２１，回動部材２２，２３、移動部材２４おいおび固定ボルト２５を含む。回動部材２２，２３は、支持枠体１０の回動部材１０ｄ，１０ｅと同様に、回動軸２１ａ，２１ｂまわりに角変位する。回動部材２２，２３は、少なくとも回動軸２１ａ，２１ｂの周囲を基端側として、一定の径で歯が付いた外周を有する。回動部材２２，２３の先端側には、柄２の先端２ａ側となる支持板１２と、柄２の接続部２ｄとがそれぞれ接続される。接続部２ｄを含めて、柄２は中空であり、図５に示すワイヤ１７を通すことができる。移動部材２４は、板状で、回動軸２１ａ，２１ｂ間の中心線に沿って移動可能で、一対の回動部材２２，２３の間に挿入され、側面の両側が回動部材２２，２３の基端側の外周で挟まれる。移動部材２４が回動部材２２，２３の外周で挟まれる面にも、回動部材２２，２３の歯に噛合する歯が設けられている。
【００３３】
回動部材２２には、幅方向の中間に、基端側と先端側との間に連通する透孔２２ａが設けられている。回動部材２２の先端側には、上下２枚の支持板１２が基端側で挟むようにして接続される。回動部材２３にも透孔２３ａが設けられ、基端側に設けられる柄２の接続孔２３ｂに連通する。移動部材２４も幅方向の中間に、透孔２４ａが設けられている。開閉部材５，６と操作筒１６とを結ぶワイヤ１７は、透孔２２ａ，２３ａ，２４ａを通して、さらに接続孔２３ｂに挿入される柄２の接続部２ｄの中空部を通して、操作筒１６で柄２の基端２ｂ側に引込むことができる。移動部材２４には、側面にねじ孔２４ｂを有し、ハウジング２１の側面に設ける長孔２１ｃを介し、固定ボルト２５で締付けて固定することができる。移動部材２４がハウジング２１に対して固定されると、回動部材２２，２３の角度も固定され、柄２に対して外枠４の角度も固定される。この角度は、固定ボルト２５を緩めて変化させることができる。
【００３４】
図７は、図１の犬の糞取り用具１の使用状態を概略的に示す。犬３０の飼主などの随伴者４０は、犬が糞を排泄するような挙動を示すと、犬の糞取り用具１を、捕集袋３を開く状態で、犬３０の尻の下方に挿入する。図４（ｂ）に示すように、柄２の先端２ａ付近で角度を鈍角に傾斜させておけば、小型犬でも低い位置から楽に挿入することができる。排泄時以外は、犬の糞取り用具１を、捕集袋３が閉じている状態で保持することができる。捕集袋３を二重にして外袋を用いれば、捕集袋３を周囲の視界から遮って、糞の捕集を連想させないようにすることができ、外袋のデザインでファッション性を持たせることもできる。
【符号の説明】
【００３５】
１  犬の糞取り具
２  柄
２ａ，４ａ，５ａ，６ａ  先端
２ｂ，４ｂ，５ｂ，６ｂ  基端
３  捕集袋
４  外枠
５，６  開閉部材
１０，１１  支持枠体
１０ａ，１１ａ  中間部
１０ｂ，１０ｃ，１１ｂ，１１ｃ  支持枠
１０ｄ，１０ｅ，２２，２３  回動部材
１０ｆ，２４  移動部材
１０ｇ  板ばね
１５  中間部材
１５ａ，１５ｂ，２１ａ，２１ｂ  軸
１６  操作筒
１７  ワイヤ
２０  可動継手
【図１】
2014204673.tif 000003
【図２】
2014204673.tif 000004
【図３】
2014204673.tif 000005
【図４】
2014204673.tif 000006
【図５】
2014204673.tif 000007
【図６】
2014204673.tif 000008
【図７】
2014204673.tif 000009
【手続補正書】
【提出日】平成25年8月5日(2013.8.5)
【手続補正１】
【補正対象書類名】特許請求の範囲
【補正対象項目名】請求項１
【補正方法】変更
【補正の内容】
【請求項１】
柄の先端に開閉可能な捕集袋を備える、柄付き捕集袋において、
先端から基端に向う中心線の両側で幅方向の両側に広がる開口形状を有し、内周側で開いた状態の捕集袋の開口部の外周を外側から規制し、中心線の基端で柄の先端に接続される外枠と、
外枠の中心線の少なくとも一方の端に中間部が装着され、中間部から幅方向の両側に弾発的に開く支持枠を有し、中間部に続く支持枠が外枠の内側に沿って広がる支持枠体と、
先端が外枠の中心線の先端に装着され、外枠の内周側と、支持枠体の支持枠の外周側との間を通り、基端が柄の基端側に引出される開閉部材と、
を含み、
捕集袋は、開いた状態で外周となる部分を、支持枠体の支持枠で支持され、
開閉部材を柄の基端側に引くことで、開閉部材で外枠の内側となる部分は、支持枠体の支持枠とともに、外枠の中心線に近づき、支持枠で外周を支持する捕集袋を、閉じた状態にする、
ことを特徴とする柄付き捕集袋。
【手続補正２】
【補正対象書類名】特許請求の範囲
【補正対象項目名】請求項２
【補正方法】変更
【補正の内容】
【請求項２】
前記支持枠体の中間部は、
前記外枠の中心線の少なくとも一方の端に装着され、前記中心線から前記幅方向の両側に間隔をあけた位置で、中心線および幅方向の両方に垂直な一対の軸を備える中間部材と、
中間部材の各軸にそれぞれ回動可能に挿通され、少なくとも軸の周囲に一定の径の外周を有する基端と、前記支持枠の基端が接続される先端とを有する一対の回動部材と、
板状で、中心線に沿って異動可能で一対の回動部材の間に挿入され、側面の両側が回動部材の基端の外周で挟まれる移動部材と、
移動部材の基端に中間部が接合され、中間部から幅方向の両側に延びる枝部が中心線の方向に湾曲して、枝部の先端が回動部材の先端部に接合され、回動部材の先端側が幅方向の両側に広がるように付勢する板ばねと、
を含む、
ことを特徴とする請求項１記載の柄付き捕集袋。
【手続補正３】
【補正対象書類名】明細書
【補正対象項目名】００１２
【補正方法】変更
【補正の内容】
【００１２】
本発明は、柄の先端に開閉可能な捕集袋を備える、柄付き捕集袋において、
先端から基端に向う中心線の両側で幅方向の両側に広がる開口形状を有し、内周側で開いた状態の捕集袋の開口部の外周を外側から規制し、中心線の基端で柄の先端に接続される外枠と、
外枠の中心線の少なくとも一方の端に中間部が装着され、中間部から幅方向の両側に弾発的に開く支持枠を有し、中間部に続く支持枠が外枠の内側に沿って広がる支持枠体と、
先端が外枠の中心線の先端に装着され、外枠の内周側と、支持枠体の支持枠の外周側との間を通り、基端が柄の基端側に引出される開閉部材と、
を含み、
捕集袋は、開いた状態で外周となる部分を、支持枠体の支持枠で支持され、
開閉部材を柄の基端側に引くことで、開閉部材で外枠の内側となる部分は、支持枠体の支持枠とともに、外枠の中心線に近づき、支持枠で外周を支持する捕集袋を、閉じた状態にする、
ことを特徴とする柄付き捕集袋である。
【手続補正４】
【補正対象書類名】明細書
【補正対象項目名】００１３
【補正方法】変更
【補正の内容】
【００１３】
また本発明で、前記支持枠体の中間部は、
前記外枠の中心線の少なくとも一方の端に装着され、前記中心線から前記幅方向の両側に間隔をあけた位置で、中心線および幅方向の両方に垂直な一対の軸を備える中間部材と、
中間部材の各軸にそれぞれ回動可能に挿通され、少なくとも軸の周囲に一定の径の外周を有する基端と、前記支持枠の基端が接続される先端とを有する一対の回動部材と、
板状で、中心線に沿って異動可能で一対の回動部材の間に挿入され、側面の両側が回動部材の基端の外周で挟まれる移動部材と、
移動部材の基端に中間部が接合され、中間部から幅方向の両側に延びる枝部が中心線の方向に湾曲して、枝部の先端が回動部材の先端部に接合され、回動部材の先端側が幅方向の両側に広がるように付勢する板ばねと、
を含む、
ことを特徴とする。